(57)【要約】【課題】特別な調整、交換作業を行うことなく輝度を一定の範囲内に制御し、新品と同様な扱いでＬＣＤのリユースを行えるバックライトインバータ回路を提供することを目的とする。【解決手段】管電流検出抵抗１０からの信号と輝度−電圧変換回路９からの信号から設定輝度になるようにＤＣ／ＤＣコンバータ４を制御する制御回路１１が、冷陰極管３の輝度を光センサ７で検出しその出力を温度センサ８で温度補正することにより使用温度範囲内において最適な輝度と管電流に制御する。  冷陰極管３の温度を正確に測定できることから温度が飽和するまで待たなくとも温度補正をかけることにより輝度を推定し寿命に達しているか否かエラー出力１２により容易に判断することができる。【選択図】図１
2007018961.tif 000002
【特許請求の範囲】
【請求項１】
冷陰極管の近傍に前記冷陰極管の発光輝度を測定する光センサと、発光効率を補正する為の前記冷陰極管の温度を測定する温度センサと、前記冷陰極管の管電流検出抵抗からの信号と先の温度センサおよび光センサからの出力により所定の輝度になるように管電流を制御する制御回路とを備え、前記制御回路は、管電流と前記温度センサの出力から設定された輝度に達しない場合はエラー出力を出すことを特徴とする輝度補正機能付きバックライトインバータ回路。
【請求項２】
制御回路は、制御設定輝度として想定期間内の輝度が一定に保たれる様、想定期間最終管電流の値が設定値を超えない様に初期管電流値を低めに設定することにより、冷陰極管の輝度が劣化した場合でも想定期間内は所定の輝度に保つ制御を行うことを特徴とする請求項１記載の輝度補正機能付きバックライトインバータ回路。
【発明の詳細な説明】
【技術分野】
【０００１】
本発明はパチンコ台等の構成部品である液晶表示器のバックライトインバータ回路において、液晶表示器の構成寿命部品である冷陰極管の輝度劣化を補正する輝度補正機能付きバックライトインバータ回路に関するものである。
【背景技術】
【０００２】
従来のパチンコ台等の構成部品である液晶表示器（以下ＬＣＤと称する）のバックライトインバータ回路においては、冷陰極管のメーカーより提出された輝度対管電流の特性から所定の輝度に必要な管電流値を設定し、その設定管電流値にバックライトインバータ回路の出力電流を一定に保つフィードバック回路が入っている。
【０００３】
図２にそのようなＬＣＤのバックライトインバータ回路の構成図を示す。図において、２１は、液晶パネル２２と、液晶パネル２２のバックライト用の冷陰極管２３とからなるＬＣＤユニットで、供給される直流電源をＤＣ／ＤＣコンバータ２４、発振回路２５、トランス２６により昇圧することにより駆動されている。２７は冷陰極管２３の管電流値を検出するための管電流検出抵抗、２８はインバータ回路の出力電流を一定に保つようにＤＣ／ＤＣコンバータ２４を制御する制御回路である。
【０００４】
以上のように構成された従来のバックライトインバータ回路において、管電流検出抵抗２７により、冷陰極管２３の管電流値が検出され、この管電流値をもとに制御回路２８がＤＣ／ＤＣコンバータ２４を制御することにより、冷陰極管２３の管電流値が安定する。
【０００５】
また、輝度は温度特性を持つ為、輝度補正する場合は温度のパラメータも考慮する必要があり、例えば特許文献１のように温度保障回路を設けたものもあった。
【０００６】
従来は、このような方法で、冷陰極管の輝度を一定に保つようにしていた。
【特許文献１】特開２０００−２４３５８６号公報
【発明の開示】
【発明が解決しようとする課題】
【０００７】
上記のように、従来行なわれていたＬＣＤの輝度調整は、冷陰極管を一定の輝度に保つことに主眼が置かれていた。
【０００８】
しかしながら、冷陰極管は使用時間に応じて徐々に劣化が進み、発光効率自体が下がってくるので、管電流を一定にしたり、温度保障回路を設けるだけでは、輝度が低下するのは避けられない。よって輝度を常に一定に保つ為には輝度の低下に応じて管電流を増加させる必要がある。
【０００９】
実際には管電流や温度で輝度を自動制御することは行われず、冷陰極管自体を交換したり、バックライトインバータ回路にボリュームで管電流を調整できる回路を追加し、設定管電流を増加させて輝度を復帰させるという方法が取られていた。
【００１０】
このように、上記従来の構成では、冷陰極管の輝度が劣化した場合、交換できる構造で設計されたＬＣＤについては、劣化した冷陰極管を交換する、あるいは、冷陰極管はそのままで、バックライトインバータ回路の管電流の再設定を行うという作業が発生する。
【００１１】
近年、環境問題への取り組みとしてパチンコ業界でもリユースの取り組みが始まっており、比較的短時間（数ヶ月）の使用で廃棄となっていたＬＣＤのリユースについても例外ではない。この場合、リユースするＬＣＤについては商品の性格上、遊技者の目を楽しませる目的から表示画像がはっきり判るように輝度の品位を確保する必要があり、かつ、通常同じパチンコ台を複数台並べて使用する為、各ＬＣＤの輝度のばらつきについても少なくする必要があった。
【００１２】
また、ＬＣＤの使用時間がパチンコホールでのパチンコ台の入れ替えスケジュールによる為、輝度の劣化にばらつきがあり、リユースできるかどうかの判断の為に、輝度の選別を行わなければならないなど、リユースに至るまでには各種作業が発生するという課題を有していた。
【００１３】
本発明は、上記従来の課題を解決するもので、特別な調整、交換作業を行うことなく、冷陰極管の輝度を一定の範囲内に制御し、安定してＬＣＤのリユースを行えるバックライトインバータ回路を提供することを目的とする。
【課題を解決するための手段】
【００１４】
上記従来の課題を解決するために、本発明のバックライトインバータ回路は、ＬＣＤの冷陰極管の近傍に、冷陰極管の発光輝度を測定する光センサと、発光効率を補正する為の冷陰極管の温度を測定する温度センサと、管電流検出抵抗からの信号と温度センサおよび光センサからの出力により所定の輝度になるように管電流を制御し、管電流と温度センサの出力から設定された輝度に達しない場合はエラー出力を出す制御回路とを有し、かつ、制御回路は、想定期間最終管電流の値が設定値を超えない様に初期管電流値を低めに設定することにより、冷陰極管の輝度が劣化した場合でも想定期間内は所定の輝度に保つ制御を行う。
【００１５】
本構成によって、冷陰極管の輝度劣化に対して設定輝度を一定に保つことが容易になり、かつ、冷陰極管が寿命に達したものについては、バックライトインバータ回路からエラー出力を出すことにより、作業者は特別な治具が無くとも容易に判断することができる。
【発明の効果】
【００１６】
本発明の輝度補正機能付きバックライトインバータ回路によれば、ＬＣＤのリユースにおいて、回路調整、冷陰極管の交換作業を行うことなく、輝度を一定の範囲内に制御することができる。
【発明を実施するための最良の形態】
【００１７】
以下本発明を実施するための最良の形態について、図面を参照しながら説明する。
【００１８】
（実施の形態１）
図１は、本発明の実施の形態１におけるバックライトインバータ回路の構成図である。
【００１９】
図１において、ＬＣＤユニット１は、液晶パネル２と、液晶パネル２のバックライト用の冷陰極管３とから構成され、供給される直流電源をＤＣ／ＤＣコンバータ４、発振回路５、トランス６により昇圧することにより駆動される。冷陰極管３の近傍には、冷陰極管３の発光輝度を測定する為の光センサ７と、発光効率を補正する為の冷陰極管３の温度を測定する温度センサ８と、光センサ７の光電変換効率のばらつきを補正する輝度−電圧変換回路９が配置され、冷陰極管３の管電流値を検出するための管電流検出抵抗１０からの信号と輝度−電圧変換回路９からの信号から冷陰極管３が設定輝度になるようにＤＣ／ＤＣコンバータ４を制御回路１１が制御している。
【００２０】
以上のように構成されたバックライトインバータ回路において、ＬＣＤユニット１の冷陰極管３の輝度を光センサ７で検出し、その出力を温度センサ８で温度補正し、制御回路１１でＤＣ／ＤＣコンバータ４を制御することにより、使用温度範囲内において最適な輝度と管電流値に制御する。また、管電流検出抵抗１０により管電流値をモニターし、冷陰極管３の定格ＭＡＸ電流を超えて流すことを防ぐ。
【００２１】
このように、温度センサ８により冷陰極管３の温度を正確に測定できることから、冷陰極管３の温度が飽和するまで待たなくとも温度補正をかけることにより、輝度を推定し寿命に達しているか否か制御回路１１がエラー出力１２を出すことにより判断することができる。
【００２２】
また、制御回路１１は、想定期間最終管電流の値が設定値を超えない様に初期管電流値を低めに設定することにより、冷陰極管３の輝度が劣化した場合でも想定期間内は所定の輝度に保つ制御を行うことができる。
【産業上の利用可能性】
【００２３】
本発明にかかる輝度補正機能付きバックライトインバータ回路は、ＬＣＤのリユースにおいて、回路調整、冷陰極管の交換作業を行うことなく、輝度を一定の範囲内に制御することが可能になるので、パチンコ台の構成部品である液晶表示器のバックライトインバータ回路において、液晶パネルの構成寿命部品である冷陰極管の輝度劣化を補正する手段として有用である。
【図面の簡単な説明】
【００２４】
【図１】本発明の実施の形態１におけるバックライトインバータ回路の構成図
【図２】従来のバックライトインバータ回路の構成図
【符号の説明】
【００２５】
１  ＬＣＤユニット  
２  液晶パネル
３  冷陰極管
４  ＤＣ／ＤＣコンバータ
５  発振回路
６  トランス
７  光センサ
８  温度センサ
９  輝度−電圧変換回路
１０  管電流検出抵抗
１１  制御回路
１２  エラー出力
【図１】
2007018961.tif 000003
【図２】
2007018961.tif 000004